(57)【特許請求の範囲】
【請求項１】
テレビ信号入力用の入力用信号ケーブルが接続される入力側接続部、及びテレビ信号出力用の出力用信号ケーブルがそれぞれ接続される複数の出力側接続部が互いに対向する前面及び背面に設けられた略箱状の金属筐体と、入力側接続部及び複数の出力側接続部と電気的に接続される配線パターンが形成されて金属筐体内に収納されるプリント基板と、プリント基板に実装され入力用信号ケーブルを通して入力されるテレビ信号を各出力側接続部に分配して出力する分配回路と、背面側が開口する略箱形に形成され入力側接続部を背面側から露出させるとともに複数の出力側接続部を前面より外部に臨ませるように金属筐体を収納する合成樹脂製のハウジングとを備え、上記ハウジングは、埋込型の配線器具について規定された３個モジュール寸法に形成されるとともに、この埋込型の配線器具を埋込ボックスに取り付ける取付枠への取付手段が設けられ、ハウジングの前面には、前面側が開口した略円形の凹所が複数形成されるとともに、各凹所の底面には出力側接続部を凹所内へ通す挿通孔が設けられ、上記金属筐体は、出力側接続部が設けられていない前面の部位にハウジングの前面側へ突出する凹所が形成され、上記分配回路を構成する回路部品は、プリント基板の凹所に対向する部分に実装されていることを特徴とするテレビコンセント。
【請求項２】
金属筐体とハウジングを係合する係合手段を金属筐体並びにハウジングに設けたことを特徴とする請求項１記載のテレビコンセント。
【請求項３】
ハウジングの背面側を略長方形としたことを特徴とする請求項１又は２記載のテレビコンセント。
【発明の詳細な説明】
【０００１】
【発明の属する技術分野】
本発明は、テレビ信号用の信号ケーブルを接続するテレビコンセントに関するものである。
【０００２】
【従来の技術】
従来より、この種のテレビコンセントとして、図７及び図８に示す構造のものが知られている。このテレビコンセントは、絶縁性を有する合成樹脂により背面が開口する略箱状に形成されたハウジング５０と、金属板を略コ字形に折曲して成り、ハウジング５０の背面上部に取り付けられるシールド板５１と、絶縁性を有する合成樹脂により板状に形成され、ハウジング５０の背面下部に取り付けられてシールド板５１とともにハウジング５０の背面開口を塞ぐカバー５２と、分配回路が実装されてハウジング５０内に収納されるプリント基板５３と、プリント基板５３に実装され、テレビ放送受信用のアンテナ等に接続された同軸ケーブル（以下、入力用同軸ケーブルという）の内部導体に接続する接触ばね５４と、絶縁性の合成樹脂成形品であり、接触ばね５４を内部に収める収納部５５ａを有しプリント基板５３の背面側に配設される端子カバー５５と、ハウジング５０の前面に設けられ、テレビ受像機と接続する同軸ケーブル（以下、出力用同軸ケーブルという）の一端に取り付けられた図示しないプラグが接続される一対の同軸コネクタ部５６，５６と、シールド板５１の背面に露設され、入力用同軸ケーブルの外部導体が接続される接続部５７とを備え、入力用同軸ケーブルを通して入力されたテレビ信号を分配回路により各同軸コネクタ部５６，５６に分配して出力するものであり、いわゆる分配器内蔵型のテレビコンセントである。
【０００３】
ハウジング５０は、絶縁性を有する合成樹脂によって背面が開口する箱状に形成されている。ハウジング５０の長手方向に沿った両側面の上部には側方へ突出する膨出部５０ａが形成され、各膨出部５０ａの前部側面からは、規格化された既製の埋込型の配線器具（例えば、ＪＩＳに規定される大角形連用配線器具など）を埋込ボックスに取り付ける場合に用いる取付枠への取付用の一対の係止爪５０ｂがそれぞれ突設され、さらに膨出部５０ａの前面には図示しない金属製の取付枠への取付用の嵌合孔５０ｄが凹設された凸部５０ｃが設けてある。一方、ハウジング５０の長手方向に沿った両側面の下部には、先端縁に上記取付枠への取付用の係止爪５０ｆ，５０ｆが突設されるとともに基部に上記金属製の取付枠への取付用の嵌合孔５０ｈが凹設された凸部５０ｇを有する突出片５０ｅ，５０ｅがハウジング５０の側方へ突設されている。
【０００４】
同軸コネクタ部５６は、ハウジング５０前面の上下両端部を環状に凹設し、中央の円柱部５０ｉの略中心に形成された貫通孔５０ｊに埋設される内部接触子５９と、円柱部５０ｉの外周に被嵌する円筒状の外部接触子６０とで構成されている。外部接触子６０は背面側に突出する一対の脚片６０ａを備えている。外部接触子６０は、ハウジング５０の円柱部５０ｉの外周に被嵌した状態で各脚片６０ａをプリント基板５３のスルーホール５３ａに挿通し且つ半田付けされる。また、内部接触子５９は円柱部５０ｉの貫通孔５０ｊに埋設されて上記プラグの内部コンタクトを挟み込む形で受けるピン受け部５９ａが一端側に形成されるとともに、プリント基板５３のスルーホール５３ｂに挿通し且つ半田付けされる端子片５９ｂが他端側に一体に形成されている。
【０００５】
プリント基板５３は上部を幅広とした略Ｔ字形に形成され、一面に分配回路を構成する回路部品が実装されるとともに、他面に各回路部品間を電気的に接続する配線パターンが形成されている。接触ばね５４はプリント基板５３の幅広の上部先端縁近傍に実装されており、先端には入力用同軸ケーブルの内部導体に接続する受け部５４ａが設けてある。また、プリント基板５３における接触ばね５４の実装面と同一面には、プリント基板５３に形成された配線パターンを介して同軸コネクタ部５６の外部接触子６０と電気的に接続されるとともに一対のばね片６１ａ，６１ａでシールド板５１に前面側より弾接するばね部材６１が実装されている。
【０００６】
シールド板５１は、略矩形の主片５１ａと、主片５１ａの長手方向両端縁における略中央部より前方へ突出し、ハウジング５０の膨出部５０ａ背部に突設された係合突起５０ｋの周囲に係合する係合孔５１ｃを有した係合片５１ｂと、係合片５１ｂの両側より前方へ突出し先端部においてプリント基板５３に固定される固定脚５１ｄとが一体となった略コ字形に形成されている。すなわち、シールド板５１の各係合片５１ｂの係合孔５１ｃを膨出部５０ａの係合突起５０ｋの周囲に係合させることにより、図７及び図８に示すようにシールド板５１がハウジング５０の背面上部に取りつけられる。ここで、端子カバー５５の収納部５５ａに対応するシールド板５１の上端部には収納部５５ａを外部へ突出させる切欠部５１ｅが設けてあり、さらにシールド板５１の背面の切欠部５１ｅの両側からは一対の軸支片５１ｆ，５１ｆが突設してある。
【０００７】
シールド板５１の軸支片５１ｆには、入力用同軸ケーブルを張力止めする押さえ金具６２が回動自在に取り付けられる。この押さえ金具６２の基端部には、先端が夫々外側に折曲された一対の枢支片６２ａが形成され、押さえ金具６２は枢支片６２ａを軸支片５１ｆの切込部（図示せず）にかしめてシールド板５１に回動自在に取り付けられる。この押さえ金具６２の先端部は中央部を円弧状に曲成し、この曲成部６２ｂで入力用同軸ケーブルを挟み込むようになっている。この曲成部６２ｂの一側部には、ねじ６３が抜け止め状態で取り付けられた固定片６２ｃを備え、ねじ６３をシールド板５１のねじ孔に螺合して入力用同軸ケーブルの保持状態を固定するようになっている。この押さえ金具６２、シールド板５１及び接触ばね５４で、入力用同軸ケーブルの接続部５７が構成されている。
【０００８】
入力用同軸ケーブルの接続は次のように行う。押さえ金具６２をシールド板５１から外し、入力用同軸ケーブルの内部導体を端子カバー５５の収納部５５ａに設けた挿通孔（図示せず）を通して接触ばね５４の受け部５４ａに差し込み、さらに内部導体を略９０度折り曲げる。そして、入力用同軸ケーブルの外部導体としての編組線を折り返して外皮に被せた部分を押さえ金具６２で挟み込み、ねじ６３をシールド板５１に締め付けることで入力用同軸ケーブルがテレビコンセントに接続される。
【０００９】
【発明が解決しようとする課題】
ところで、上記従来例ではシールド板５１のみで十分なシールド性を得ることが困難であり、プリント基板５３に実装された分配回路等が外来ノイズの影響を受け易いという問題がある。
【００１０】
本発明は上記問題に鑑みて為されたものであり、その目的とするところは、シールド性の向上が図れるテレビコンセントを提供することにある。
【００１１】
【課題を解決するための手段】
請求項１の発明は、上記目的を達成するために、テレビ信号入力用の入力用信号ケーブルが接続される入力側接続部、及びテレビ信号出力用の出力用信号ケーブルがそれぞれ接続される複数の出力側接続部が互いに対向する前面及び背面に設けられた略箱状の金属筐体と、入力側接続部及び複数の出力側接続部と電気的に接続される配線パターンが形成されて金属筐体内に収納されるプリント基板と、プリント基板に実装され入力用信号ケーブルを通して入力されるテレビ信号を各出力側接続部に分配して出力する分配回路と、背面側が開口する略箱形に形成され入力側接続部を背面側から露出させるとともに複数の出力側接続部を前面より外部に臨ませるように金属筐体を収納する合成樹脂製のハウジングとを備え、上記ハウジングは、埋込型の配線器具について規定された３個モジュール寸法に形成されるとともに、この埋込型の配線器具を埋込ボックスに取り付ける取付枠への取付手段が設けられ、ハウジングの前面には、前面側が開口した略円形の凹所が複数形成されるとともに、各凹所の底面には出力側接続部を凹所内へ通す挿通孔が設けられ、上記金属筐体は、出力側接続部が設けられていない前面の部位にハウジングの前面側へ突出する凹所が形成され、上記分配回路を構成する回路部品は、プリント基板の凹所に対向する部分に実装されていることを特徴とし、分配回路が実装されたプリント基板を金属筐体内に収納することでシールド性を向上させることができる。また、プリント基板に実装された回路部品を金属筐体の凹所で逃げることができるため、シールド性を損なうこと無しに回路部品を効率よく金属筐体内に収納することができるとともに薄型化が図れる。さらに、埋込型の配線器具と同様に取付枠を用いて壁面などに埋込配設することができるから施工性が向上する。
【００１２】
請求項２の発明は、請求項１の発明において、金属筐体とハウジングを係合する係合手段を金属筐体並びにハウジングに設けたことを特徴とし、請求項１の発明の作用に加えて、係合手段によってハウジングに金属筐体を係合して固定することができるから、組立が容易に行える。
【００１３】
請求項３の発明は、請求項１又は２の発明において、ハウジングの背面側を略長方形としたことを特徴とし、請求項１又は２の発明の作用に加えて、ハウジングの形状が簡素化できるために製造し易く、生産性の向上が図れる。
【００１６】
【発明の実施の形態】
図１〜図６を参照して本発明の一実施形態を詳細に説明する。
【００１７】
本実施形態のテレビコンセントＡは従来例と同様のいわゆる分配器内蔵型であって、テレビ信号入力用の入力用信号ケーブルが接続される入力側接続部、及びテレビ信号出力用の出力用信号ケーブルがそれぞれ接続される複数の出力側接続部が互いに対向する前面及び背面に設けられた略箱状の金属筐体（シールドケース）２と、入力側接続部及び複数の出力側接続部と電気的に接続される配線パターンが形成されて金属筐体２内に収納されるプリント基板９と、プリント基板９に実装され入力用信号ケーブルを通して入力されるテレビ信号を各出力側接続部に分配して出力する分配回路と、背面側が開口する略箱形に形成され入力側接続部を背面側から露出させるとともに複数の出力側接続部を前面より外部に臨ませるように金属筐体２を収納する合成樹脂製のハウジング１とを備えている。
【００１８】
金属筐体２は、平板状の金属材を折曲して互いに略コ字形に形成された第１及び第２の金属板３，４を結合して構成される。但し、第１及び第２の金属板３，４の形状はコ字形に限定されるものではなく、例えば、一方を一面が開口する箱形とし且つ他方を上記開口を塞ぐ平板状としたり、その他種々の形状が可能である。
【００１９】
第１の金属板３は矩形平板状の主片３ａと、主片３ａの長手方向に対向する両側端縁より前方（図１における下方）へ垂下された側片３ｂ，３ｂとで構成され、主片３ａの長手方向に沿った一端部には段差を介して背方へ突出する台部３ｃが形成されている。この台部３ｃの端部が切り欠かれて開口部３ｄが形成されるとともに、台部３ｃにおける開口部３ｄの両側部からは一対の軸支片３ｅが突設してある。これら一対の軸支片３ｅには、テレビ放送受信用のアンテナやダウンコンバータ等との間を接続する信号ケーブルたる同軸ケーブル（以下、入力用同軸ケーブルと呼ぶ）を張力止めする押さえ金具５が回動自在に取り付けられる。この押さえ金具５の基端部には、先端が夫々外側に折曲された一対の枢支片５ａが形成され、押さえ金具５は枢支片５ａを軸支片３ｅの切り込み部３ｆにかしめて第１の金属板３の台部３ｃに回動自在に取り付けられる。この押さえ金具５の先端部は中央部を円弧状に曲成し、この曲成部５ｂで入力用同軸ケーブルを挟み込むようになっている。この曲成部５ｂの一側部には、ねじ６が抜け止めワッシャ６ａにより抜け止め状態で取り付けられた固定片５ｃを備え、ねじ６を第１の金属板３ａのねじ孔３ｇに螺合して入力用同軸ケーブルの保持状態を固定するようになっている。
【００２０】
一方、第２の金属板４は矩形平板状の主片４ａと、主片４ａの長手方向に沿った両側端縁より背方（図１における上方）へ垂下された側片４ｂ，４ｂとで構成され、主片４ａの長手方向両端部に一対の長孔状の取付孔４ｃ，４ｃが穿設されるとともに、主片４ａの略中央には外側へ突出する略矩形の凹所４ｄが形成されている。各取付孔４ｃには、テレビ受像機やチューナなどと接続するための信号ケーブルたる同軸ケーブル（以下、出力用同軸ケーブルと呼ぶ）４０の一端に付設されたプラグ（例えば、Ｆ型接栓プラグ）４１が着脱自在に接続されるコネクタ（例えば、Ｆ型接栓コネクタ）７が取りつけられる。
【００２１】
コネクタ７は、外周面にねじ部が形成され且つ一端側に円盤状のフランジ部７ｂを具備した円筒形のシェル７ａと、シェル７ａ内に収納された絶縁体７ｃと、絶縁体７ｃの略中心に配設されてプラグ４１の中心コンタクト（おす）が接続される中心コンタクト（めす）と、フランジ部７ｂの背面側に突設されたシェル用端子７ｄ，７ｄ及び中心コンタクト用端子７ｅと、同じくフランジ部７ｂの背面側に突設され、第２の金属板４の取付孔４ｃの周縁にかしめられるかしめ片７ｆ，７ｆとを具備している。
【００２２】
また、第２の金属板４の両側片４ｂ，４ｂには第１の金属板３の台部３ｃに対応する位置に背方へ突出する段部４ｅが設けられ、各段部４ｅの先端縁にそれぞれ一対のかしめ爪４ｆ，４ｆが背方へ突設されるとともに、各側片４ｂ，４ｂの段部４ｅ以外の先端縁にもかしめ爪４ｆが突設されている。これに対して、第１の金属板３の主片３ａには、長手方向に沿った両端部近傍を切り起こして切起爪３ｈ並びに切起孔３ｉが台部３ｃに２つ、台部３ｃ以外の部位に１つずつそれぞれ形成されており、図２及び図５に示すように第２の金属板４のかしめ爪４ｆ，４ｆをそれぞれ第１の金属板３の切起孔３ｉに挿通し且つ切起爪３ｈによりかしめ爪４ｆをかしめることで第１の金属板３と第２の金属板４が結合されて略箱状の金属筐体２を構成している。また、切起爪３ｈとかしめ爪４ｆとで第１及び第２の金属板３，４同士が電気的に接続されて両者が同電位に保たれる。
【００２３】
ここで、第２の金属板４の主片４ａには凹所４ｄが設けてあり、プリント基板９を内部に収納し第１の金属板３と第２の金属板４を結合して金属筐体２を組み立てた場合、図２（ｂ）に示すようにプリント基板９に実装された回路部品２０が主片４ａと干渉しないように上記凹所４ｄで逃げることができる。そのため、シールド性を損なうこと無しに回路部品２０を効率よく金属筐体２内に収納することができるとともに、金属筐体２の薄型化が図れるという利点がある。
【００２４】
さらに本実施形態では、第２の金属板４の主片４ａの長手方向に対向する両端縁から各一対の端子片４ｇ，４ｇが背方に折曲形成され、こられ端子片４ｇの外側面には略円形の突起４ｈがそれぞれ突設されている。而して、第１及び第２の金属板３，４を結合して金属筐体２を組み立てると、図２（ｂ）に示すように第１の金属板３の側片３ｂに、第２の金属板４の各端子片４ｇの突起４ｈが圧接され、端子片４ｇを介して第１及び第２の金属板３，４同士が電気的に接続されることになる。このため、切起爪３ｈとかしめ爪４ｆのみで接続する場合に比較して安定して確実に同電位にすることができ、高周波特性並びにシールド性をより向上させることができる。
【００２５】
上述のように構成される金属筐体２内には、接触子８、プリント基板９並びに端子カバー１０が収納される。接触子８は、図１に示すように入力用同軸ケーブルの内部導体と接続する受け部８ａと、プリント基板９のスルーホール９ａ1，９ａ1に挿通されて各スルーホール９ａ1，９ａ1の周囲に形成されたランド９ｂ1に半田付けされるリード片８ｂ，８ｂと、受け部８ａ並びにリード片８ｂ，８ｂを一体に連結する連結片８ｃとが帯板状の導電性部材を折曲して一体に形成されている。受け部８ａは、略へ字形に形成されて互いに対向配置された一対のばね片８ｄ，８ｄを有し、このばね片８ｄ，８ｄの間に入力用同軸ケーブルの内部導体を差し込んで挟持するものである。なお、第１の金属板３、押さえ金具５並びに接触子８により入力側接続部を構成し、コネクタ７により出力側接続部を構成している。
【００２６】
プリント基板９は絶縁性部材から成る矩形平板状であって、前面（以下、「実装面という）に分配回路を構成するインダクタやトランス等の回路部品２０が実装されるとともに背面（以下、パターン面という）には複数のランド９ｂ及び各ランド９ｂ間を導通するための配線パターン（図示せず）が形成されている。ここで、プリント基板９の長手方向に沿った両端部にはコネクタ７，７のシェル用端子７ｄ，７ｄが挿通されるスルーホール９ａ2，９ａ2と、中心コンタクト用端子７ｅ，７ｅが挿通されるスルーホール９ａ3とが列設されるとともに、各スルーホール９ａ2，９ａ3のパターン面側の周囲にそれぞれランド９ｂ2，９ｂ3が形成されており、スルーホール９ａ2，９ａ3に挿通されたシェル用端子７ｄ及び中心コンタクト用端子７ｅをランド９ｂ2，９ｂ3に半田付けすることでコネクタ７，７が分配回路と電気的に接続される。
【００２７】
また、プリント基板９の長手方向に沿った両端縁近傍に形成されたランド９ｂ4…においてプリント基板９が第２の金属板４の側片４ｂ，４ｂに半田固定されるとともに、これら複数（本実施形態では６個）のランド９ｂ4…とコネクタ７のシェル用端子７ｄ，７ｄが半田付けされるランド９ｂ2…とが配線パターンにより導通しており、コネクタ７のシェル７ａが金属筐体２と電気的に接続されて略同電位に保たれる。なお、プリント基板９に実装される分配回路は、接触子８を通して入力されるテレビ信号を分配して２つのコネクタ７，７に出力するものであるが、このような回路構成は従来周知の技術を用いて容易に実現可能であるから図示並びに説明は省略する。
【００２８】
また、第２の金属板４の両側片４ｂ，４ｂには、主片４ａから所定の間隔を空け且つ主片４ａに対向する支持片４ｉ，４ｉがそれぞれ一対ずつ切り起こして形成されている。すなわち、プリント基板９を金属筐体２内に収納する際に、これら複数の支持片４ｉ…にプリント基板９を載置して支持させることができ、少なくともコネクタ７をプリント基板９に実装するとともにランド９ｂ4…を側片４ｂ，４ｂに半田固定するまでの間、プリント基板９が第２の金属板４内でがたついたりすることが無く、上記半田付け作業が行い易くなるものである。しかも、複数の支持片４ｉ…で支持しているから、プリント基板９を支持する面積が大きくできてプリント基板９を強固に支持することができる。
【００２９】
一方、端子カバー１０は絶縁性を有する合成樹脂製であって、短冊形の基部１０ａと、基部１０ａの長手方向に対向する両端縁から同一方向に垂設された一対の側部１０ｂ，１０ｂと、基部１０ａより側部１０ｂと反対側へ突設されて内部に接触子８の受け部８ａが収納される収納部１０ｃとを具備して成り、金属筐体２内に収納されて接触子８と第１の金属板３との間を電気的に絶縁している。なお、両側部１０ｂの先端両側にはプリント基板９の対応する位置に穿設された嵌合孔９ｃに嵌合する突起１０ｄが設けてあり、突起１０ｄを嵌合孔９ｃに嵌合させて端子カバー１０をプリント基板９に固定するようになっている。
【００３０】
収納部１０ｃの内部は基部１０ａを通して開口させてあり、この開口から接触子８の受け部８ａが収納部１０ｃ内に挿入される。基部１０ａの短幅方向に対向する収納部１０ｃの両側面のうち、一方の側面には入力用同軸ケーブルの内部導体を挿入する挿入口１０ｅが設けられ、他方の側面には矩形の開口孔１０ｆが設けられている。すなわち、挿入口１０ｅから挿入された入力用同軸ケーブルの内部導体が収納部１０ｃ内に収納されている受け部８ａに差込接続されるのである。ここで、収納部１０ｃ内において開口孔１０ｆの周縁に受け部８ａを構成するばね片８ｄ，８ｄの後端縁を当接させており、挿入口１０ｅから挿入された内部導体を受け部８ａに差込接続する際に受け部８ａががたついたり変形したりするのを防止している。
【００３１】
一方、ハウジング１は絶縁性を有する合成樹脂製であり、背面が開口する略長方形の箱状に形成されている。ここで、ハウジング１の外形は規格化された既製の埋込型の配線器具（例えば、ＪＩＳに規定される大角形連用配線器具）の３個モジュール寸法の配線器具と合わせてある。つまり、図６に示すように既製の埋込型の配線器具を埋込ボックスに取り付ける場合に用いる取付枠４２（ＪＩＳ  Ｃ  ８３５７参照）の開口窓４２ａ内に嵌まる直方体状のボス部１ａを前面に形成し、このボス部１ａより１段低くなった両側部の長手方向両端部から外方に、合成樹脂製の取付枠４２への取付用の一対の係止爪１ｂ，１ｂをそれぞれ突設し、ボス部１ａの両側面下部に金属製の取付枠（図示せず）への取付用の嵌合孔１ｄが穿設された凸部１ｃを設けてある。また、図２に示すようにボス部１ａ前面の長手方向両端部には前面に開口する略円形の凹所１ｅ，１ｅが設けてあり、各凹所１ｅ，１ｅの底面に設けた挿通孔１ｆ，１ｆを通してコネクタ７，７がボス部１ａの凹所１ｅ，１ｅ内に配置される。
【００３２】
また、ハウジング１の長手方向に沿った両側面の両端部には前面側（ボス部１ａ側）に凹部１ｈを有する係合突起１ｇがそれぞれ突設されており、係合突起１ｇの周囲に係合する係合孔３ｋを有した係合片３ｊが、第１の金属板３の長手方向に沿った両側端縁の両端部から各一対ずつ突設されている。すなわち、図３に示すようにハウジング１の内部に金属筐体２を収容した状態で係合片３ｊをハウジング１の方へ折曲して係合突起１ｇの周囲に係合孔３ｋを係合するとともに係合突起１ｇの凹部１ｈに対向する係合片３ｊの先端部を凹部１ｈにかしめることにより、ハウジング１と金属筐体２とを固定することができる。このように金属筐体２に設けた係合片３ｊの係合孔３ｋをハウジング１に設けた係合突起１ｇの周囲に係合して金属筐体２をハウジング１に固定しているため、組立が容易に行えるという利点がある。
【００３３】
ところで、本実施形態ではハウジング１を略長方形の箱状に形成しているから、従来例のように一端側に膨出部５０ａを有する略Ｔ字形のものに比較して、ハウジング１の形状が簡素化できるために製造し易く、生産性の向上が図れるという利点がある。
【００３４】
このように構成される本実施形態のテレビコンセントＡに対して入力用同軸ケーブルの接続は次のように行う。まず、ねじ６を緩めて押さえ金具５を第１の金属板３から浮かし、入力用同軸ケーブルの内部導体を、第１の金属板３の開口部３ｄより突出した端子カバー１０の収納部１０ｃの挿入孔１０ｅを通して接触子８の受け部８ａに差込接続する。そして、入力用同軸ケーブルの外部導体としての編組線を折り返して外皮に被せた部分を押さえ金具５で挟み込み、ねじ６を締め付けることで入力用同軸ケーブルがテレビコンセントＡに接続される。ここで、図１に示すように第１の金属板３の台部３ｃにおける入力用同軸ケーブルに当接する部位にはローレット３ｍが形成されており、このローレット３ｍによって第１の金属板３と上記編組線とを確実に接触導通させるとともに、第１の金属板３に対する入力用同軸ケーブルのずれを防止している。
【００３５】
また、本実施形態のテレビコンセントＡを、図６に示すように合成樹脂製の取付枠４２に取り付ける場合、取付枠４２の両側片４３に対向して設けられた係止孔４４にハウジング１の係止爪１ｂを係止させることによって、ハウジング１が取付枠４２に取り付けられ、取付枠４２の両側片４３及び上下片で囲まれる開口窓４２ａからボス部１ａが露出する。そして、このように取付枠４２に取り付けて壁面などに埋込配設されたテレビコンセントＡに、出力用同軸ケーブル４０の先端に付設されたプラグ４１を接続する場合、テレビコンセントＡの凹所１ｅ内にプラグ４１を挿入するようにしてコネクタ７に差込接続し、プラグ４１が具備する接続ナット４１ａをコネクタ７のシェル７ａに螺合させて締め付けることにより、プラグ４１がコネクタ７から不用意に外れてしまうことを防いでいる。
【００３６】
上述のように本実施形態では、高周波のテレビ信号が流れる接触子８や分配回路が実装されたプリント基板９を箱状の金属筐体２内に収納してシールド性を向上させることができる。また、第１の金属板３と第２の金属板４を結合して金属筐体２を構成しているために金属筐体２内に接触子８やプリント基板９等を収納する作業が容易になって組立性が向上でき、しかも、第１の金属板３と第２の金属板４は切起爪３ｈとかしめ爪４ｆによって同電位に保たれるから、高周波特性並びにシールド性の向上も図れる。
【００３７】
【発明の効果】
請求項１の発明は、テレビ信号入力用の入力用信号ケーブルが接続される入力側接続部、及びテレビ信号出力用の出力用信号ケーブルがそれぞれ接続される複数の出力側接続部が互いに対向する前面及び背面に設けられた略箱状の金属筐体と、入力側接続部及び複数の出力側接続部と電気的に接続される配線パターンが形成されて金属筐体内に収納されるプリント基板と、プリント基板に実装され入力用信号ケーブルを通して入力されるテレビ信号を各出力側接続部に分配して出力する分配回路と、背面側が開口する略箱形に形成され入力側接続部を背面側から露出させるとともに複数の出力側接続部を前面より外部に臨ませるように金属筐体を収納する合成樹脂製のハウジングとを備え、上記ハウジングは、埋込型の配線器具について規定された３個モジュール寸法に形成されるとともに、この埋込型の配線器具を埋込ボックスに取り付ける取付枠への取付手段が設けられ、ハウジングの前面には、前面側が開口した略円形の凹所が複数形成されるとともに、各凹所の底面には出力側接続部を凹所内へ通す挿通孔が設けられ、上記金属筐体は、出力側接続部が設けられていない前面の部位にハウジングの前面側へ突出する凹所が形成され、上記分配回路を構成する回路部品は、プリント基板の凹所に対向する部分に実装されているので、分配回路が実装されたプリント基板を金属筐体内に収納することでシールド性を向上させることができる。また、プリント基板に実装された回路部品を金属筐体の凹所で逃げることができるため、シールド性を損なうこと無しに回路部品を効率よく金属筐体内に収納することができるとともに薄型化が図れる。さらに、埋込型の配線器具と同様に取付枠を用いて壁面などに埋込配設することができるから施工性が向上するという効果がある。
【００３８】
請求項２の発明は、請求項１の発明において、金属筐体とハウジングを係合する係合手段を金属筐体並びにハウジングに設けたので、請求項１の発明の効果に加えて、係合手段によってハウジングに金属筐体を係合して固定することができるから、組立が容易に行えるという効果がある。
【００３９】
請求項３の発明は、請求項１又は２の発明において、ハウジングの背面側を略長方形としたので、請求項１又は２の発明の効果に加えて、ハウジングの形状が簡素化できるために製造し易く、生産性の向上が図れるという効果がある。
【図面の簡単な説明】
【図１】実施形態を示す分解斜視図である。
【図２】同上を示し、（ａ）は正面図、（ｂ）は側面断面図、（ｃ）は下面断面図である。
【図３】同上の側面図である。
【図４】同上の上面図である。
【図５】同上の背面図である。
【図６】同上の取付枠に取りつけた状態の斜視図である。
【図７】従来例を示す分解斜視図である。
【図８】同上を示し、（ａ）は正面図、（ｂ）は側面図、（ｃ）は下面図である。
【符号の説明】
１  ハウジング
２  金属筐体
３  第１の金属板
４  第２の金属板
５  押さえ金具
７  コネクタ
８  接触子
８ａ  受け部
９  プリント基板
１０  端子カバー
【図１】
0003750445.tif 000002
【図２】
0003750445.tif 000003
【図３】
0003750445.tif 000004
【図４】
0003750445.tif 000005
【図５】
0003750445.tif 000006
【図６】
0003750445.tif 000007
【図７】
0003750445.tif 000008
【図８】
0003750445.tif 000009